【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
対向する第１及び第２面と内部コア区分とを有する第１モジュールインプラント部品と、対向する第１及び第２面と内部コア区分とを有する第２モジュールインプラント部品とを備え、
第１と第２モジュールインプラント部品は係合可能であり、係合されたとき、第１及び第２モジュールインプラント部品の前記内部コア区分は、髄内インプラントの一部分の形状に対応する形状を有するモジュール式インプラントシステムの内部コアを集合的に形成する、モジュール式インプラントシステムであって、
該モジュール式インプラントシステムは、
対向する第１及び第２面と内部コア区分とを有する第３モジュールインプラント部品と、対向する第１及び第２面と内部コア区分とを有する第４モジュールインプラント部品とをさらに備え、
第３と第４モジュールインプラント部品は係合可能であり、係合されたとき、前記第３及び第４モジュールインプラント部品の前記内部コア区分は、前記髄内インプラントの部分の形状に対応する形状を有する前記モジュール式インプラントシステムの内部コアを集合的に形成し、かつ第３及び第４モジュールインプラント部品が前記第１及び第２モジュールインプラント部品に積重ね形態で配列可能であるように、前記第３及び第４モジュールインプラント部品の第２面が前記第１及び第２モジュールインプラント部品の第２面と係合可能であり、
前記第１モジュールインプラント部品の前記第２面がポストを含み、前記第３モジュールインプラント部品の第２面が前記ポストを受け入れるサイズ及び形状とされた凹部を含む、モジュール式インプラントシステム。
【請求項２】
前記第１及び第２モジュールインプラント部品は第１高さを有し、前記第３及び第４モジュールインプラント部品は前記第１高さとは異なる第２高さを有する、請求項１に記載のモジュール式インプラントシステム。
【請求項３】
前記モジュール式インプラントシステムの前記内部コアの形状は丸い、請求項１に記載のモジュール式インプラントシステム。
【請求項４】
前記第１及び第２モジュールインプラント部品のいずれかの第１面は、少なくとも部分的に、自然の海綿骨を複製する構造を有する多孔質生体適合性材料から成る、請求項１に記載のモジュール式インプラントシステム。
【請求項５】
前記第１及び第２モジュールインプラント部品のいずれかの第１面は、少なくとも部分的に、実質的に非多孔質の生体適合性材料から成る、請求項４に記載のモジュール式インプラントシステム。
【請求項６】
前記モジュール式インプラントシステムの前記内部コアは、実質的に非多孔質の生体適合性材料から成る、請求項１に記載のモジュール式インプラントシステム。
【請求項７】
前記第１モジュールインプラント部品は第１ロック穴を含み、前記第２モジュールインプラント部品は第１穴を含み、第１と第２モジュールインプラント部品が係合されたとき前記第１ロック穴と前記第１穴が整列される、請求項１に記載のモジュール式インプラントシステム。
【請求項８】
前記第１穴を通過して前記第１ロック穴の中へ挿入可能な固定部材をさらに備え、前記固定部材が、前記第１ロック穴に係合して前記第１モジュールインプラント部品を前記第２モジュールインプラント部品に係止接合するように構成される、請求項７に記載のモジュール式インプラントシステム。
【請求項９】
対向する第１及び第２面と内部コア区分とを有する第１モジュールインプラント部品と、対向する第１及び第２面と内部コア区分とを有する第２モジュールインプラント部品とを備え、
第１と第２モジュールインプラント部品は係合可能であり、係合されたとき、第１及び第２モジュールインプラント部品の前記内部コア区分は、髄内インプラントの一部分の形状に対応する形状を有するモジュール式インプラントシステムの内部コアを集合的に形成する、モジュール式インプラントシステムであって、
該モジュール式インプラントシステムは、
対向する第１及び第２面と内部コア区分とを有する第３モジュールインプラント部品と、対向する第１及び第２面と内部コア区分とを有する第４モジュールインプラント部品とをさらに備え、
第３と第４モジュールインプラント部品は係合可能であり、係合されたとき、前記第３及び第４モジュールインプラント部品の前記内部コア区分は、前記髄内インプラントの部分の形状に対応する形状を有する前記モジュール式インプラントシステムの内部コアを集合的に形成し、かつ第３及び第４モジュールインプラント部品が前記第１及び第２モジュールインプラント部品に積重ね形態で配列可能であるように、前記第３及び第４モジュールインプラント部品の第２面が前記第１及び第２モジュールインプラント部品の第２面と係合可能であり、
前記第１モジュールインプラント部品は第１穴を含み、前記第３モジュールインプラント部品は第１ロック穴を含み、前記第１モジュールインプラント部品が前記第３モジュールインプラント部品に積み重ねられたとき、前記第１穴と前記第３モジュールインプラント部品の第１ロック穴が整列され、
該モジュール式インプラントシステムは、前記第１穴を通過して前記第３モジュールインプラント部品の第１ロック穴の中へ挿入可能な固定部材をさらに備え、前記固定部材が、前記第３モジュールインプラント部品の第１ロック穴に係合して前記第１モジュールインプラント部品を前記第３モジュールインプラント部品に係止接合するように構成される、モジュール式インプラントシステム。
【請求項１０】
前記第１モジュールインプラント部品の第１ロック穴及び前記第２モジュールインプラント部品の第１穴はネジ切りされている、請求項７に記載のモジュール式インプラントシステム。
【請求項１１】
前記第１及び第２モジュールインプラント部品は第１高さを有し、前記第３及び第４モジュールインプラント部品は前記第１高さとは異なる第２高さを有する、請求項９に記載のモジュール式インプラントシステム。
【請求項１２】
前記第１モジュールインプラント部品の前記第２面がポストを含み、前記第３モジュールインプラント部品の第２面が前記ポストを受け入れるサイズ及び形状とされた凹部を含む、請求項９に記載のモジュール式インプラントシステム。
【請求項１３】
前記モジュール式インプラントシステムの前記内部コアの形状は丸い、請求項９に記載のモジュール式インプラントシステム。
【請求項１４】
前記第１及び第２モジュールインプラント部品のいずれかの第１面は、少なくとも部分的に、自然の海綿骨を複製する構造を有する多孔質生体適合性材料から成る、請求項９に記載のモジュール式インプラントシステム。
【請求項１５】
前記第１及び第２モジュールインプラント部品のいずれかの第１面は、少なくとも部分的に、実質的に非多孔質の生体適合性材料から成る、請求項１４に記載のモジュール式インプラントシステム。
【請求項１６】
前記モジュール式インプラントシステムの前記内部コアは、実質的に非多孔質の生体適合性材料から成る、請求項９に記載のモジュール式インプラントシステム。
【請求項１７】
前記第１モジュールインプラント部品は第１ロック穴を含み、前記第２モジュールインプラント部品は第１穴を含み、第１と第２モジュールインプラント部品が係合されたとき、前記第１ロック穴と前記第１穴が整列される、請求項９に記載のモジュール式インプラントシステム。
【請求項１８】
前記第２モジュールインプラント部品の前記第１穴を通過して前記第１モジュールインプラント部品の前記第１ロック穴の中へ挿入可能な第２固定部材をさらに備え、前記第２固定部材が、前記第１ロック穴に係合して前記第１モジュールインプラント部品を前記第２モジュールインプラント部品に係止接合するように構成される、請求項１７に記載のモジュール式インプラントシステム。
【請求項１９】
前記第１モジュールインプラント部品の第１ロック穴及び前記第２モジュールインプラント部品の第１穴はネジ切りされている、請求項１７に記載のモジュール式インプラントシステム。
【請求項２０】
前記第１モジュールインプラント部品は第２穴を含み、前記第３モジュールインプラント部品は第１ロック穴を含み、前記第１モジュールインプラント部品が前記第３モジュールインプラント部品に積み重ねられたとき、前記第２穴と前記第３モジュールインプラント部品の第１ロック穴が整列され、該モジュール式インプラントシステムは、前記第２穴を通過して前記第３モジュールインプラント部品の第１ロック穴の中へ挿入可能な固定部材をさらに備え、前記固定部材が、前記第３モジュールインプラント部品の第１ロック穴に係合して前記第１モジュールインプラント部品を前記第３モジュールインプラント部品に係止接合するように構成される、請求項１に記載のモジュール式インプラントシステム。